(57)【要約】【課題】接着、乾燥などの煩雑な工程を要することなく軟質部材を容易にかつ強固に固定できると共に、摺洗能力に優れた摺洗具を提供する。【解決手段】この発明の摺洗具１は、繊維束植設基片２と、該繊維束植設基片２の表面に植設された複数の繊維束６からなるブラシ部材５と、ブラシ部材５及び繊維束植設基片２の外周側面を被覆するように配置された軟質部材４と、可撓性結束帯３とを備え、軟質部材４の外周面におけるブラシ部材５を被覆した領域または繊維束植設基片２を被覆した領域に可撓性結束帯３が巻き付けられて該可撓性結束帯３の両端部同士が連結されることによって軟質部材４が可撓性結束帯３によりブラシ部材５または繊維束植設基片２に結束固定されていることを特徴とする。【選択図】図１
2011055874.tif 000002
【特許請求の範囲】
【請求項１】
繊維束植設基片と、
前記繊維束植設基片の表面の少なくとも一部に植設された複数の繊維束からなるブラシ部材と、
前記ブラシ部材の側面の少なくとも一部を被覆するように配置された軟質部材と、
可撓性結束帯とを備えてなり、
前記ブラシ部材を被覆した軟質部材の外周面に前記可撓性結束帯が巻き付けられて該可撓性結束帯の両端部同士が連結されることによって前記軟質部材が前記可撓性結束帯により前記ブラシ部材に結束固定されていることを特徴とする摺洗具。
【請求項２】
繊維束植設基片と、
前記繊維束植設基片の表面の少なくとも一部に植設された複数の繊維束からなるブラシ部材と、
前記繊維束植設基片の側面の少なくとも一部を被覆するように配置された軟質部材と、
可撓性結束帯とを備えてなり、
前記繊維束植設基片を被覆した軟質部材の外周面に前記可撓性結束帯が巻き付けられて該可撓性結束帯の両端部同士が連結されることによって前記軟質部材が前記可撓性結束帯により前記繊維束植設基片に結束固定されていることを特徴とする摺洗具。
【請求項３】
繊維束植設基片と、
前記繊維束植設基片の表面の少なくとも一部に植設された複数の繊維束からなるブラシ部材と、
前記ブラシ部材の側面の少なくとも一部及び前記繊維束植設基片の側面の少なくとも一部を被覆するように配置された軟質部材と、
可撓性結束帯とを備えてなり、
前記軟質部材の外周面における前記ブラシ部材を被覆した領域または前記繊維束植設基片を被覆した領域に前記可撓性結束帯が巻き付けられて該可撓性結束帯の両端部同士が連結されることによって前記軟質部材が前記可撓性結束帯により前記ブラシ部材または前記繊維束植設基片に結束固定されていることを特徴とする摺洗具。
【請求項４】
前記繊維束植設基片の側面に結束帯受容溝が形成され、該結束帯受容溝と前記可撓性結束帯との間に前記軟質部材の一部が挟み付けられると共に前記結束帯受容溝内に前記可撓性結束帯の少なくとも一部が嵌まり込んだ状態になっている請求項２または３に記載の摺洗具。
【請求項５】
前記軟質部材は、スポンジからなる軟質シートの片面に不織布シートが積層されたものからなり、前記被覆状態において、前記軟質シートが内側に配置され、前記不織布シートが外側に配置されている請求項１〜４のいずれか１項に記載の摺洗具。
【請求項６】
前記軟質部材として、保水性の軟質部材が用いられている請求項１〜５のいずれか１項に記載の摺洗具。
【請求項７】
前記保水性の軟質部材は、スポンジ又は布材からなる請求項６に記載の摺洗具。
【請求項８】
前記軟質部材として、非保水性の弾性部材が用いられている請求項１〜５のいずれか１項に記載の摺洗具。
【請求項９】
前記非保水性の弾性部材は、ゴム又は熱可塑性エラストマーからなる請求項８に記載の摺洗具。
【発明の詳細な説明】
【技術分野】
【０００１】
この発明は、鍋、瓶、コップ、ポット、水さし等の各種容器の内面等を摺洗するのに好適に用いられる摺洗具に関する。
【背景技術】
【０００２】
従来、この種の摺洗具としては、基板の片面に複数の繊維束からなるブラシ部材と共にスポンジを設けた構成のものが公知である（特許文献１参照）。このような構成を採用すると、スポンジにより摺洗時の泡立ちを良くすることができると共に泡持ちも良くなるので、摺洗能力に優れたものとなる。
【先行技術文献】
【特許文献】
【０００３】
【特許文献１】登録実用新案第３０３０８１５号公報
【発明の概要】
【発明が解決しようとする課題】
【０００４】
しかしながら、上記特許文献１に記載の摺洗具では、接着剤を用いた接合を行うものであるから、時間を要する乾燥工程が必要となり、生産性が悪いという問題もあった。
【０００５】
この発明は、かかる技術的背景に鑑みてなされたものであって、接着、乾燥などの煩雑な工程を要することなく軟質部材を容易にかつ強固に固定できると共に、摺洗能力に優れた摺洗具を提供することを目的とする。
【課題を解決するための手段】
【０００６】
前記目的を達成するために、本発明は以下の手段を提供する。
【０００７】
［１］繊維束植設基片と、
前記繊維束植設基片の表面の少なくとも一部に植設された複数の繊維束からなるブラシ部材と、
前記ブラシ部材の側面の少なくとも一部を被覆するように配置された軟質部材と、
可撓性結束帯とを備えてなり、
前記ブラシ部材を被覆した軟質部材の外周面に前記可撓性結束帯が巻き付けられて該可撓性結束帯の両端部同士が連結されることによって前記軟質部材が前記可撓性結束帯により前記ブラシ部材に結束固定されていることを特徴とする摺洗具。
【０００８】
［２］繊維束植設基片と、
前記繊維束植設基片の表面の少なくとも一部に植設された複数の繊維束からなるブラシ部材と、
前記繊維束植設基片の側面の少なくとも一部を被覆するように配置された軟質部材と、
可撓性結束帯とを備えてなり、
前記繊維束植設基片を被覆した軟質部材の外周面に前記可撓性結束帯が巻き付けられて該可撓性結束帯の両端部同士が連結されることによって前記軟質部材が前記可撓性結束帯により前記繊維束植設基片に結束固定されていることを特徴とする摺洗具。
【０００９】
［３］繊維束植設基片と、
前記繊維束植設基片の表面の少なくとも一部に植設された複数の繊維束からなるブラシ部材と、
前記ブラシ部材の側面の少なくとも一部及び前記繊維束植設基片の側面の少なくとも一部を被覆するように配置された軟質部材と、
可撓性結束帯とを備えてなり、
前記軟質部材の外周面における前記ブラシ部材を被覆した領域または前記繊維束植設基片を被覆した領域に前記可撓性結束帯が巻き付けられて該可撓性結束帯の両端部同士が連結されることによって前記軟質部材が前記可撓性結束帯により前記ブラシ部材または前記繊維束植設基片に結束固定されていることを特徴とする摺洗具。
【００１０】
［４］前記繊維束植設基片の側面に結束帯受容溝が形成され、該結束帯受容溝と前記可撓性結束帯との間に前記軟質部材の一部が挟み付けられると共に前記結束帯受容溝内に前記可撓性結束帯の少なくとも一部が嵌まり込んだ状態になっている前項２または３に記載の摺洗具。
【００１１】
［５］前記軟質部材は、スポンジからなる軟質シートの片面に不織布シートが積層されたものからなり、前記被覆状態において、前記軟質シートが内側に配置され、前記不織布シートが外側に配置されている前項１〜４のいずれか１項に記載の摺洗具。
【００１２】
［６］前記軟質部材として、保水性の軟質部材が用いられている前項１〜５のいずれか１項に記載の摺洗具。
【００１３】
［７］前記保水性の軟質部材は、スポンジ又は布材からなる前項６に記載の摺洗具。
【００１４】
［８］前記軟質部材として、非保水性の弾性部材が用いられている前項１〜５のいずれか１項に記載の摺洗具。
【００１５】
［９］前記非保水性の弾性部材は、ゴム又は熱可塑性エラストマーからなる前項８に記載の摺洗具。
【発明の効果】
【００１６】
［１］の発明では、ブラシ部材を被覆した軟質部材の外周面に可撓性結束帯が巻き付けられて該可撓性結束帯の両端部同士が連結されることによって軟質部材が可撓性結束帯によりブラシ部材に結束固定されているから、ブラシ部材に対して軟質部材が強固に固定される。また、軟質部材の固定に際し、接着、乾燥などの煩雑な工程を要せず、可撓性結束帯を用いて結束するだけで軟質部材をブラシ部材に固定できるので、固定操作が非常に容易である。また、ブラシ部材の外周側面が軟質部材で被覆されているから、摺洗時にブラシ部材によって水が周囲に飛び散る水跳ね現象を十分に防止できる。また、軟質部材を備えているから、摺洗時の泡立ち及び泡持ちが良い。また、ブラシ部材を備えているから、軟質部材では摺洗し難い汚れも摺洗除去することができる。
【００１７】
なお、［１］の発明において、軟質部材は、ブラシ部材の側面の全部を被覆するように配置されるのが好ましい。
【００１８】
［２］の発明では、繊維束植設基片を被覆した軟質部材の外周面に可撓性結束帯が巻き付けられて該可撓性結束帯の両端部同士が連結されることによって軟質部材が可撓性結束帯により繊維束植設基片に結束固定されているから、繊維束植設基片に対して軟質部材が強固に固定される。また、軟質部材の固定に際し、接着、乾燥などの煩雑な工程を要せず、可撓性結束帯を用いて結束するだけで軟質部材を繊維束植設基片に固定できるので、固定操作が非常に容易である。また、繊維束植設基片の外周側面が軟質部材で被覆されているから、摺洗時に繊維束植設基片が被洗浄物（容器等）などに接触しても該被洗浄物を傷つけることもない。また、軟質部材を備えているから、摺洗時の泡立ち及び泡持ちが良い。また、ブラシ部材を備えているから、軟質部材では摺洗し難い汚れも摺洗除去することができる。
【００１９】
なお、［２］の発明において、軟質部材は、繊維束植設基片の側面の全部を被覆するように配置されるのが好ましい。
【００２０】
［３］の発明では、軟質部材の外周面におけるブラシ部材を被覆した領域またはブラシ部材を被覆した領域に可撓性結束帯が巻き付けられて該可撓性結束帯の両端部同士が連結されることによって軟質部材が可撓性結束帯によりブラシ部材または繊維束植設基片に結束固定されているから、ブラシ部材または繊維束植設基片に対して軟質部材が強固に固定される。また、軟質部材の固定に際し、接着、乾燥などの煩雑な工程を要せず、可撓性結束帯を用いて結束するだけで軟質部材をブラシ部材又は繊維束植設基片に固定できるので、固定操作が非常に容易である。また、ブラシ部材の外周側面が軟質部材で被覆されているから、摺洗時にブラシ部材によって水が周囲に飛び散る水跳ね現象を十分に防止できる。また、繊維束植設基片の外周側面も軟質部材で被覆されているから、摺洗時に繊維束植設基片が被洗浄物（容器等）などに接触しても該被洗浄物を傷つけることもない。また、軟質部材を備えているから、摺洗時の泡立ち及び泡持ちが良い。また、ブラシ部材を備えているから、軟質部材では摺洗し難い汚れも摺洗除去することができる。
【００２１】
なお、［３］の発明において、軟質部材は、ブラシ部材の側面の全部及び繊維束植設基片の側面の全部を被覆するように配置されるのが好ましい。
【００２２】
［４］の発明では、繊維束植設基片の結束帯受容溝と可撓性結束帯との間に軟質部材の一部が挟み付けられると共に結束帯受容溝内に可撓性結束帯の少なくとも一部が嵌まり込んだ構成が採用されているから、軟質部材を結束している可撓性結束帯がずれ移動等することがなくて結束固定状態が安定し、従って繊維束植設基片に対して軟質部材がより強固に固定されたものとなる。
【００２３】
［５］の発明では、軟質部材は、スポンジからなる軟質シートの片面に不織布シートが積層されたものからなり、前記被覆状態において、軟質シートが内側に配置され、不織布シートが外側に配置されているから、摺洗効果をさらに向上させることができる。
【００２４】
［６］の発明では、軟質部材として保水性の軟質部材が用いられているから、摺洗時の泡立ち及び泡持ちが非常に良くて摺洗能力をより高めることができる。
【００２５】
［７］の発明では、保水性軟質部材が、スポンジ又は布材からなる構成が採用されているから、摺洗時の泡立ち及び泡持ちがより一層良くなる。
【００２６】
［８］の発明では、軟質部材として非保水性の弾性部材が用いられているから、強固に付着した汚れでも掻き落とすことができる。
【００２７】
［９］の発明では、非保水性の弾性部材が、ゴム又は熱可塑性エラストマーからなる構成が採用されているから、強固に付着した汚れでも十分に掻き落とすことができる。
【図面の簡単な説明】
【００２８】
【図１】この発明に係る摺洗具の第１実施形態を示す図であって、（イ）は正面図、（ロ）は左側面図、（ハ）は背面図である。
【図２】図１（イ）におけるＡ−Ａ線の断面図である。
【図３】図１（ロ）におけるＢ−Ｂ線の断面図である。
【図４】図１で用いた繊維束植設基片を示す斜視図である。
【図５】図１で用いた軟質部材を示す斜視図である。
【図６】図１で用いた可撓性結束帯を示す図であって、（イ）は上面図、（ロ）は（イ）におけるＶ−Ｖ線の断面図である。
【図７】この発明に係る摺洗具の第２実施形態を示す図であって、（イ）は正面図、（ロ）は右側面図である。
【図８】図７（ロ）におけるＸ−Ｘ線の断面図である。
【図９】図７で用いた繊維束植設基片を示す斜視図である。
【発明を実施するための形態】
【００２９】
この発明に係る摺洗具１の一実施形態（第１実施形態）を図１に示す。この摺洗具１は、繊維束植設基片２と、可撓性結束帯３と、軟質部材４と、ブラシ部材５とを備えてなる。
【００３０】
前記繊維束植設基片２は、図４に示すように、平面視略楕円形状の合成樹脂製板状体からなる。前記繊維束植設基片２の片面（正面）に繊維束を植設するための植設孔１６が多数形成されている。前記繊維束植設基片２の周側面にその全周にわたって結束帯受容溝１７が形成されている。また、前記繊維束植設基片２の背面の中央部に合成樹脂製長尺部材からなる柄１８の一端部が接合されている（図１〜４参照）。
【００３１】
前記繊維束植設基片２の各植設孔１６にそれぞれ繊維束６が植設されており、これら多数個の繊維束６によって前記ブラシ部材５が構成されている（図１、２参照）。
【００３２】
前記可撓性結束帯３は、図６に示すように、長尺の合成樹脂製略帯状体からなる。前記可撓性結束帯３は、その一端部（先端部）３ａが先端側に向けて尖った先鋭形状に形成される一方、その他端部（基端部）３ｂに外形形状が略直方体形状の連結部２１が設けられている。前記連結部２１は、その内部が、下面及び上面が外部と連通された空洞になっており、該連結部２１の一端側の内壁面から内方に向けて係止部２２が突設されて、該係止部２２と他端側の内壁面との間に挿入用空間２３が設けられている。前記係止部２２における前記挿入用空間２３と向き合う側面には複数の係止突起２４が突設されている。また、前記可撓性結束帯３の下面の中間領域には前記係止突起２４と係合し得る係止凹部２５が多数個形成されている（図６参照）。
【００３３】
前記軟質部材４は、図５に示すように、スポンジからなる軟質シート４ｂの片面に不織布シート４ａが貼合されたものからなる。この軟質部材４は、図１、２に示すように、前記繊維束植設基片２の周側面の全周及びブラシ部材５の周側面の全周を被覆するように配置されている。また、前記軟質部材４は、前記繊維束植設基片２の周側面の全面及びブラシ部材５の周側面の全面を被覆するように配置されている（図１、２参照）。前記被覆状態において、前記軟質シート４ｂが内側に配置され、前記不織布シート４ａが外側に配置されている。前記軟質部材４の先端（正面側の先端）は、前記ブラシ部材５の先端と同一の高さである（図２参照）。
【００３４】
前記軟質部材４の外周面における前記繊維束植設基片２を被覆した領域に前記可撓性結束帯３が巻き付けられて該可撓性結束帯３の両端部同士が連結されることによって軟質部材４が可撓性結束帯３により繊維束植設基片２に結束固定されている（図１（ロ）、図２、図３参照）。前記可撓性結束帯３による軟質部材４の結束固定は、次のようにして行われている。即ち、図３に示すように、前記可撓性結束帯３と前記繊維束植設基片２の周側面の結束帯受容溝１７の底面との間に前記軟質部材４が挟み付けられた状態で前記可撓性結束帯３の一端部３ａを他端部３ｂの連結部２１の挿入用空間２３内に内側から外側に向けて挿通せしめて締め上げて連結部２１の係止部２２の係止突起２４に可撓性結束帯３の係止凹部２５を係合せしめて連結することによって、前記繊維束植設基片２の結束帯受容溝１７内に前記可撓性結束帯３の少なくとも一部が嵌まり込んだ状態になって（図２参照）前記軟質部材４が可撓性結束帯３により繊維束植設基片２に結束固定されている。なお、前記連結後、前記可撓性結束帯３の連結部２１から外方に飛び出した余分な一端部３ａは切断除去されている（図３参照）。
【００３５】
前記可撓性結束帯３による軟質部材４の結束固定状態において、可撓性結束帯３は、軟質部材４の外周面から外方に突出しないものとなっているから、摺洗時に引っ掛かり等が生じないし、外観も良好なものとなし得る（図１〜３参照）。
【００３６】
この発明に係る摺洗具１の他の実施形態（第２実施形態）を図７に示す。この摺洗具１は、繊維束植設基片２と、可撓性結束帯３Ｃ、３Ｄと、軟質部材４、６０と、ブラシ部材５とを備えてなる。
【００３７】
前記可撓性結束帯３Ｃ、３Ｄの構成は、前述した第１実施形態の可撓性結束帯と同一であるので（図６参照）、同一の符号を付してその説明は省略する。
【００３８】
前記繊維束植設基片２は、図９に示すように、平面視略円形状の合成樹脂製板状体からなる。前記繊維束植設基片２の一方の面（上面）に繊維束を植設するための植設孔３６が多数形成されている。前記繊維束植設基片２の周側面にその全周にわたって結束帯受容溝３７が形成されている。また、前記繊維束植設基片２の周側面の一部に略Ｌ字状の合成樹脂製部材からなる柄３８の一端部が接合されている（図７〜９参照）。
【００３９】
前記繊維束植設基片２の各植設孔３６にそれぞれ繊維束６が植設されており、これら多数個の繊維束６によって前記ブラシ部材５が構成されている（図７、８参照）。
【００４０】
前記軟質部材４は、前述した第１実施形態の軟質部材と同様の構成であり、スポンジからなる軟質シート４ｂの片面に不織布シート４ａが貼合されたものからなる（図５参照）。この軟質部材４は、図７、８に示すように、前記繊維束植設基片２の周側面及びブラシ部材５の周側面を被覆するように配置されている。前記被覆状態において、前記軟質シート４ｂが内側に配置され、前記不織布シート４ａが外側に配置されている。前記軟質部材４の先端は、前記ブラシ部材５の先端と同一の高さである（図８参照）。
【００４１】
前記軟質部材４の外周面における前記繊維束植設基片２を被覆した領域に前記可撓性結束帯３Ｃが巻き付けられて該可撓性結束帯３Ｃの両端部同士が連結されることによって軟質部材４が可撓性結束帯３Ｃにより繊維束植設基片２に結束固定されている（図７（ロ）、図８参照）。前記可撓性結束帯３Ｃによる軟質部材４の結束固定は、次のようにして行われている。即ち、図８に示すように、前記可撓性結束帯３Ｃと前記繊維束植設基片２の周側面の結束帯受容溝３７の底面との間に前記軟質部材４の一部が挟み付けられた状態で前記可撓性結束帯３Ｃの一端部３ａを他端部３ｂの連結部２１の挿入用空間２３内に内側から外側に向けて挿通せしめて締め上げて連結部２１の係止部２２の係止突起２４に可撓性結束帯３Ｃの係止凹部２５を係合せしめて連結する（図３と同様の連結構造である）ことによって、前記繊維束植設基片２の結束帯受容溝１７内に前記可撓性結束帯３Ｃの少なくとも一部が嵌まり込んだ状態になって（図８参照）前記軟質部材４が可撓性結束帯３Ｃにより繊維束植設基片２に結束固定されている。なお、前記連結後、前記可撓性結束帯３Ｃの連結部２１から外方に飛び出した余分な一端部３ａは切断除去されている。
【００４２】
前記可撓性結束帯３Ｃによる軟質部材４の結束固定状態において、可撓性結束帯３Ｃは、軟質部材４の外周面から外方に突出しないものとなっているから、摺洗時に引っ掛かり等が生じないし、外観も良好なものとなし得る（図７（イ）、図８参照）。
【００４３】
この第２実施形態の摺洗具１では、更に次のような構成も備えている。即ち、前記繊維束植設基片２における前記植設孔３６が形成された植設面（前面）に溝５０が形成されている。前記溝５０は、前記繊維束植設基片２の周側面に到達しない態様で形成されている。前記繊維束植設基片２の背面（非植設面）に、前記溝５０の内部空間における長さ方向の両端側の位置と連通する貫通孔５１、５２が形成されている（図８、９参照）。
【００４４】
前記繊維束植設基片２の背面に、前記一対の貫通孔５１、５２を繋ぐ背面溝５３が形成されている（図８参照）。即ち、前記繊維束植設基片２の背面における、前記溝５０の形成位置と略対応する位置に背面溝５３が形成されている。前記背面溝５３の一端と前記一方の貫通孔５１は連通しており、前記背面溝５３の他端と前記他方の貫通孔５２は連通している（図８参照）。
【００４５】
前記軟質部材６０は、板状の軟質部材からなり、図７、８に示すように、その長さ方向の中間部６７で屈曲されて２つ折り状に形成されている。即ち、前記軟質部材６０は、その長さ方向の中間部６７が前記可撓性結束帯３Ｄにより前記繊維束植設基片２の溝５０内に引き込まれた状態で結束固定されることによって前記中間部６７で屈曲されて２つ折り状に形成され、前記軟質部材６０の２つ折りの両半体６１、６２が前記繊維束植設基片２の前面（植設面）から略垂直状に立ち上がった状態になっている。前記可撓性結束帯３Ｄによる軟質部材６０の結束固定は、次のようにして行われている。即ち、図８に示すように、前記繊維束植設基片２の一方の貫通孔５１に背面側から挿通され、更に他方の貫通孔５２に前面側から挿通されて前面側（植設面側）に配置された可撓性結束帯３Ｄと、前記溝の底面５０ａとの間に前記軟質部材６０の長さ方向の中間部６７が挟み付けられた状態で前記可撓性結束帯３Ｄの一端部３ａを他端部３ｂの連結部２１の挿入用空間２３内に挿通せしめて締め上げて連結部２１の係止部２２の係止突起２４に可撓性結束帯３の係止凹部２５を係合せしめて連結することによって、前記軟質部材６０の中間部６７が可撓性結束帯３Ｄにより繊維束植設基片２の溝５０内に引き込まれた状態で結束固定されている（図８参照）。なお、前記連結後、前記可撓性結束帯３Ｄの連結部２１から飛び出した余分な一端部３ａは切断除去されている（図８参照）。
【００４６】
前記可撓性結束帯３Ｄによる軟質部材６０の結束固定状態において、可撓性結束帯３Ｄは繊維束植設基片２の背面の背面溝５３に嵌まり込んでおり該背面から可撓性結束帯３Ｄが外方に突出しないものとなっている（図８参照）。
【００４７】
また、前記可撓性結束帯３Ｄによる軟質部材６０の結束固定状態において、可撓性結束帯３Ｄの連結部２１は、軟質部材６０の２つ折りの両半体６１、６２間に配置されているので、即ちこれら一対の半体６１、６２の間に挟み込まれているので、摺洗時に引っ掛かり等が生じないし、外観も良好なものとなし得る（図７（ロ）、図８参照）。
【００４８】
この発明において、前記軟質部材４、６０としては、特に限定されるものではないが、保水性の軟質部材が好適である。保水性の軟質部材を用いる場合には、摺洗時の泡立ち及び泡持ちをより良くさせることができる。前記保水性の軟質部材としては、特に限定されるものではないが、スポンジ又は布材（不織布等）を用いるのが好ましい。前記スポンジの構成素材としては、特に限定されるものではないが、例えば合成樹脂、ゴム、天然素材（ヘチマ等）などが挙げられる。
【００４９】
また、前記軟質部材４、６０としては、ゴム、熱可塑性エラストマー等で形成された非保水性の弾性部材を用いても良い。前記非保水性の弾性部材を用いる場合には、強固に付着した汚れでも掻き落とすことができる。
【００５０】
また、前記軟質部材４、６０としては、ウレタン製スポンジからなる軟質シートの片面にナイロン製不織布シートが積層されてなる軟質部材を用いるのが好ましく、この場合には効率良く摺洗することができる。
【００５１】
上記実施形態では、前記軟質部材４、６０として板状のものを用いているが、特にこのような形状に限定されるものではない。
【００５２】
また、上記実施形態では、前記繊維束植設基片２として略板状のものを用いているが、特にこのような形状に限定されるものではない。
【００５３】
また、上記実施形態では、前記可撓性結束帯３、３Ｃ、３Ｄとして、一方の端部に設けられた連結部２１の内部空間に係止突起２４が形成された可撓性結束帯であって該結束帯の下面に前記係止突起２４と係合し得る係止凹部２５が形成されてなるもの（図６参照）を用いているが、特にこのような構成に限定されるものではなく、前記軟質部材４、６０を結束固定できるものであればどのような構成であっても良い。
【産業上の利用可能性】
【００５４】
この発明に係る摺洗具は、例えば、鍋、瓶、コップ、ポット、水さし等の容器の内面等を摺洗するのに好適に用いられるが、特にこのような用途に限定されるものではない。
【符号の説明】
【００５５】
１…摺洗具
２…繊維束植設基片
３…可撓性結束帯
４…軟質部材
５…ブラシ部材
６…繊維束
１７、３７…結束帯受容溝
【図１】
2011055874.tif 000003
【図２】
2011055874.tif 000004
【図３】
2011055874.tif 000005
【図４】
2011055874.tif 000006
【図５】
2011055874.tif 000007
【図６】
2011055874.tif 000008
【図７】
2011055874.tif 000009
【図８】
2011055874.tif 000010
【図９】
2011055874.tif 000011